(57)【要約】【課題】電界伝達媒体に電界を誘起させて制御を行え且つ空間での放射による悪影響を防止する。【解決手段】制御システムは、予め定められた位置に配置された電極１と、電界伝達媒体であるユーザＵの人体とともに移動して使用される携帯端末１０から送信され当該ユーザＵの人体（生体）に電界を誘起させ電極１を介して伝達される信号により制御対象物である扉の解錠を制御する制御装置２と、電極１の近傍に配置される電極３と、携帯端末１０から信号が送信されるのを抑制する送信抑制信号Ｓを電極３に印加する送信抑制装置４とを備える。【選択図】図１
2011004041.tif 000002
【特許請求の範囲】
【請求項１】
電界伝達媒体とともに移動して使用される携帯端末から送信されて当該電界伝達媒体に電界を誘起させ予め定められた位置に配置された電極を介して伝達される信号により所定の制御対象物を制御する制御装置とともに使用される送信抑制システムであって、
前記電極の近傍に配置される電極と、
前記携帯端末から信号が送信されるのを抑制する送信抑制信号を前記近傍に配置される電極に印加する送信抑制装置と
を備えることを特徴とする送信抑制システム。
【請求項２】
前記近傍に配置される電極は、予め定められた前記電界伝達媒体の動線に沿って配置されていることを特徴とする請求項１記載の送信抑制システム。
【請求項３】
前記近傍に配置される電極は、予め定められた前記電界伝達媒体の動線を挟むように配置された２つの電極を含むことを特徴とする請求項１記載の送信抑制システム。
【請求項４】
前記近傍に配置される電極は、前記電界伝達媒体が前記予め定められた位置に配置された電極を通り越したときの前記電界伝達媒体の近傍、前記電界伝達媒体が前記予め定められた位置に配置された電極に至る手前の前記電界伝達媒体の近傍の、少なくとも一方に配置されていることを特徴とする請求項２または３記載の送信抑制システム。
【請求項５】
予め定められた位置に配置された電極と、
電界伝達媒体とともに移動して使用される携帯端末から送信され当該電界伝達媒体に電界を誘起させ前記電極を介して伝達される信号により所定の制御対象物を制御する制御装置と、
前記電極の近傍に配置される電極と、
前記携帯端末から信号が送信されるのを抑制する送信抑制信号を前記近傍に配置される電極に印加する送信抑制装置と
を備えることを特徴とする制御システム。
【請求項６】
電界伝達媒体とともに移動して使用される携帯端末から送信され当該電界伝達媒体に電界を誘起させ予め定められた位置に配置された電極を介して伝達される信号により所定の制御対象物を制御する制御装置とともに使用される送信抑制システムが行う送信抑制方法であって、
前記送信抑制システムは、前記電極の近傍に配置される電極を備え、
前記送信抑制方法は、前記送信抑制システムに具備された送信抑制装置が、前記携帯端末から信号が送信されるのを抑制する送信抑制信号を前記近傍に配置される電極に印加するステップを含む
ことを特徴とする送信抑制方法。
【発明の詳細な説明】
【技術分野】
【０００１】
本発明は、送信抑制システムおよび制御システムに関するものである。
【背景技術】
【０００２】
特許文献１には、電界信号検出技術を利用し、送信すべき情報に基づく電界を電界伝達媒体である生体に誘起させ、この電界を用いて情報の送受信を行うトランシーバが記載されている。非特許文献２は、関連技術の利用シーンなどを紹介している。
【先行技術文献】
【特許文献】
【０００３】
【特許文献１】特開２００１−３５２２９８号公報
【非特許文献】
【０００４】
【非特許文献１】"RedTacton"、［ｏｎｌｉｎｅ］、日本電信電話株式会社、［平成２１年５月８日検索］、インターネット〈ＵＲＬ：http://www.redtacton.com/〉
【発明の概要】
【発明が解決しようとする課題】
【０００５】
電界を用いた従来のトランシーバの通信では、生体上に電界が誘起されるだけでなく、空間にも信号が放射している。
【０００６】
例えば、図８において、ユーザＵの携帯端末１０から放射された信号Ｋが、人ＮＵの人体（電界伝達媒体）に結合し、電極１を介して制御装置２に伝達される。これにより人ＮＵが、ユーザＵの携帯端末１０から送信された信号Ｋに基づく本来受けられないサービスを受けられてしまう。例えば、制御装置２が扉（図示せず）を解錠すれば、人ＮＵは、本来入れない部屋に入れてしまう。
【０００７】
また、ユーザＵが電極１の上を通過し、携帯端末１０から送信された信号がユーザＵの人体に電界を誘起させ、電極１を介して制御装置２に伝達されたときに、制御装置２がユーザＵに課金するのであれば、このような本来課金すべきでないときに課金がなされる場合がある。
【０００８】
つまり、ユーザＵの前を進む別のユーザ（図示せず）が電極１の上を通過しているときに、携帯端末１０から放射された信号Ｋが、前のユーザの人体に結合し、電極１を介して制御装置２に伝達され、ユーザＵに課金されてしまうのである。
【０００９】
本発明は、上記の課題に鑑みてなされたものであり、その目的とするところは、電界伝達媒体に電界を誘起させて制御を行え且つ空間での放射による悪影響を防止することにある。
【課題を解決するための手段】
【００１０】
上記課題を解決するために、第１の本発明に係る送信抑制システムは、電界伝達媒体とともに移動して使用される携帯端末から送信されて当該電界伝達媒体に電界を誘起させ予め定められた位置に配置された電極を介して伝達される信号により所定の制御対象物を制御する制御装置とともに使用される送信抑制システムであって、前記電極の近傍に配置される電極と、前記携帯端末から信号が送信されるのを抑制する送信抑制信号を前記近傍に配置される電極に印加する送信抑制装置とを備えることを特徴とする。
【００１１】
例えば前記近傍に配置される電極は、予め定められた前記電界伝達媒体の動線に沿って配置されていることを特徴とする。
【００１２】
例えば、前記近傍に配置される電極は、予め定められた前記電界伝達媒体の動線を挟むように配置された２つの電極を含むことを特徴とする。
【００１３】
例えば、前記近傍に配置される電極は、前記電界伝達媒体が前記予め定められた位置に配置された電極を通り越したときの前記電界伝達媒体の近傍、前記電界伝達媒体が前記予め定められた位置に配置された電極に至る手前の前記電界伝達媒体の近傍の、少なくとも一方に配置されていることを特徴とする。
【００１４】
第２の本発明に係る制御システムは、予め定められた位置に配置された電極と、電界伝達媒体とともに移動して使用される携帯端末から送信され当該電界伝達媒体に電界を誘起させ前記電極を介して伝達される信号により所定の制御対象物を制御する制御装置と、前記電極の近傍に配置される電極と、前記携帯端末から信号が送信されるのを抑制する送信抑制信号を前記近傍に配置される電極に印加する送信抑制装置とを備えることを特徴とする。
【００１５】
第３の本発明に係る送信抑制方法は、電界伝達媒体とともに移動して使用される携帯端末から送信され当該電界伝達媒体に電界を誘起させ予め定められた位置に配置された電極を介して伝達される信号により所定の制御対象物を制御する制御装置とともに使用される送信抑制システムが行う送信抑制方法であって、前記送信抑制システムは、前記電極の近傍に配置される電極を備え、前記送信抑制方法は、前記送信抑制システムに具備された送信抑制装置が、前記携帯端末から信号が送信されるのを抑制する送信抑制信号を前記近傍に配置される電極に印加するステップを含むことを特徴とする。
【発明の効果】
【００１６】
本発明によれば、電界伝達媒体に電界を誘起させて制御を行え且つ空間での放射による悪影響を防止することができる。
【図面の簡単な説明】
【００１７】
【図１】第１の実施の形態に係る制御システムの構成を示す図である。
【図２】電極３と送信抑制装置４の構成の例を示す図である。
【図３】送信抑制信号Ｓの波形の例を示す図である。
【図４】携帯端末１０の構成の例を示す図である。
【図５】携帯端末１０の構成の別な例を示す図である。
【図６】第２の実施の形態に係る制御システムの構成を示す図である。
【図７】第３の実施の形態に係る制御システムの構成を示す図である。
【図８】電界伝達媒体に電界を誘起させて制御を行うときの空間での放射による悪影響を説明するための図である。
【発明を実施するための形態】
【００１８】
以下、本発明の実施の形態を図面を参照して説明する。なお、同一または類似の要素には同一符号を付与し、重複説明を省略する。
【００１９】
［第１の実施の形態］
図１は、第１の実施の形態に係る制御システムの構成を示す図である。図１（ａ）は、制御システムの横からの様子を模式的に示し、図１（ｂ）は、制御システムの上からの様子を模式的に示す。
【００２０】
制御システムは、予め定められた位置に配置された電極１と、電界伝達媒体であるユーザＵの人体とともに移動して使用される携帯端末１０から送信され当該ユーザＵの人体（生体）に電界を誘起させ電極１を介して伝達される信号により制御対象物である扉を解錠する制御装置２と、電極１の近傍に配置される電極３と、携帯端末１０から信号が送信されるのを抑制する送信抑制信号Ｓを電極３に印加する送信抑制装置４とを備える。すなわち、制御システムは、電極３と送信抑制装置４とを備える送信抑制システムを含んでいる。
【００２１】
具体的には、電極１は、壁に設けられた扉の外側に付いたドアノブと共用になっている。電極１は、リード線を介して、制御装置２に接続されている。電極３は床に設置されている。電極３は、例えば、図１（ｂ）に示すように半円形状を有するものであり、電極１を掴む人の位置を囲むように配置されている。電極３は、リード線を介して、送信抑制装置４に接続されている。送信抑制装置４は、電極３に送信抑制信号Ｓを継続的に印加している。つまり、送信抑制システムは送信抑制方法を実行している。送信抑制信号Ｓは、携帯端末１０内のトランシーバから信号が送信されるのを抑制する信号である。
【００２２】
図２（ａ）に示すように、送信抑制装置４は、例えば、送信抑制信号Ｓをグラウンドと電極３の間に印加する。図２（ｂ）に示すように、送信抑制装置４は、例えば、送信抑制信号Ｓを電極３と他の電極の間に印加する。図２（ｃ）に示すように、電極３は複数に分割してもよい。
【００２３】
図３は、送信抑制信号Ｓの波形の例を示す図である。
【００２４】
図３（ａ）に示すように、送信抑制信号Ｓは、例えば、キャリアバンド方式で用いられる搬送波である。または、図３（ｂ）に示すように、送信抑制信号Ｓは、例えば、変調されたキャリアバンド信号である。または、図３（ｃ）に示すように、送信抑制信号Ｓは、例えば、ベースバンド方式で用いられるベースバンド信号である。
【００２５】
図４は、携帯端末１０の構成の例を示す図である。
【００２６】
携帯端末１０は、例えば、コンピュータ１１と、トランシーバ１２とを有する。
【００２７】
トランシーバ１２は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うものである。
【００２８】
例えば、トランシーバ１２は、コンピュータ１１からの送信データを入出力（Ｉ／Ｏ）回路１２１を介して受け取ると、この送信データを送信部１２２を介して電極１２３に供給し、当該電極１２３および絶縁膜１２４を介して電界伝達媒体に電界を誘起させ、この電界を電界伝達媒体の他の部位に伝達させる。
【００２９】
また、トランシーバ１２は、電界伝達媒体に誘起されて伝達されてくる電界を絶縁膜１２４を介して電極１２３で検出し、この電界を電界検出光学部１２５に結合して電気信号に変換する。そして、この電気信号は、信号処理回路１２６で増幅、ノイズ除去などの信号処理を施され、更に波形整形回路１２７で波形整形がなされ、入出力回路１２１を介してコンピュータ１１に出力するようになっている。
【００３０】
図５は、携帯端末１０の構成の別な例を示す図である。
【００３１】
携帯端末１０は、例えば、コンピュータ１１と、トランシーバ１３とを有する。
【００３２】
トランシーバ１３は、送信すべき情報に基づく電界を電界伝達媒体である生体に誘起させ、この誘起した電界を用いて情報の送受信を行うトランシーバであって、Ｉ／Ｏ回路１３１と、送信部１３２と、受信部１３３と、と、電極１３４と、絶縁膜１３５と、を備える。
【００３３】
トランシーバ１３は、コンピュータ１１からの送信データを入出力（Ｉ／Ｏ）回路１３１を介して受け取ると、この送信データを送信部１３２を介して電極１３４に供給し、当該電極１３４および絶縁膜１３５を介して電界伝達媒体に電界を誘起させ、この電界を電界伝達媒体の他の部位に伝達させる。送信部１３２は、送信データを発振器１３２２から出力される搬送波で変調するための変調回路１３２１と、搬送波を出力するための発振器１３２２とを備える。
【００３４】
また、トランシーバ１３は、電界伝達媒体に誘起されて伝達されてくる電界を絶縁膜１３５を介して電極１３４で検出し、この電界を受信部１３３で受信データに変換して入出力回路１３１を介してコンピュータ１１に出力する。受信部１３３は、復調信号のＨレベルとＬレベルの反転が起きていないかを判定して補正するための補正回路１３１１と、搬送波再生回路１３１３で再生された搬送波と受信した信号をもとにデータを再生する復調回路１３１２と、受信した信号から搬送波を抽出する搬送波再生回路１３１３と、を備える。
【００３５】
次に、制御システムの動作を説明する。
【００３６】
図１において、ユーザＵが電極３を通り越して電極１の位置まで赴き、電極１を掴むと、まず、携帯端末１０からユーザＵの識別情報を含む信号が送信される。信号は、ユーザＵの人体に電界を誘起させ、電極１を介して制御装置２に伝達される。制御装置２は、信号から識別情報を取りだし、扉を解錠してよいか否かを識別情報により判定し、扉を解錠してよいと判定したなら、扉を解錠する。
【００３７】
例えば、扉の解錠を許可されていない人ＮＵは、このようにユーザＵが扉を解錠できることを知っている。人ＮＵは、例えば、電極３の上で友人Ｔと会話をしているユーザＵに近づき、手で電極１を掴む。つまり、人ＮＵは、携帯端末１０からユーザＵの識別情報を含む信号が空中に放射され、その信号が人ＮＵの人体に結合し、電極１を介して制御装置２に伝達されることにより、扉を解錠しようする。
【００３８】
一方、送信抑制装置４は、電極３に対して送信抑制信号Ｓを継続的に印加している。送信抑制信号Ｓは、ユーザＵの人体に電界を誘起させ、携帯端末１０に伝達される。携帯端末１０は、送信抑制信号Ｓを受信しているときは、ユーザＵの識別情報を含む信号など、いかなる信号も送信できない。
【００３９】
よって、扉の解錠を許可されていない人ＮＵが扉を解錠してしまう不都合の発生を防止することができる。つまり、電界伝達媒体に電界を誘起させて制御を行え且つ空間での放射による悪影響を防止することができる。
【００４０】
［第２の実施の形態］
図６は、第２の実施の形態に係る制御システムの構成を示す図である。図６（ａ）は、制御システムの横からの様子を模式的に示し、図６（ｂ）は、制御システムの上からの様子を模式的に示す。
【００４１】
制御システムは、予め定められた位置に配置された電極１と、電界伝達媒体であるユーザＵの人体とともに移動して使用される携帯端末１０から送信され当該ユーザＵの人体（生体）に電界を誘起させ電極１を介して伝達される信号により制御対象物であるユーザＵの銀行口座などから一定の金額を引き落とすという制御を行う制御装置２と、電極１の近傍に配置される２つの電極３と、携帯端末１０から信号が送信されるのを抑制する送信抑制信号Ｓを電極３に印加する送信抑制装置４とを備える。すなわち、制御システムは、各電極３と送信抑制装置４とを備える送信抑制システムを含んでいる。
【００４２】
各電極１、３は、例えば、遊園地に入るときに通過するゲートに設けられている。つまり、各電極１、３は、ユーザＵの動線に沿って配置されている。また、２つの電極３は、動線を挟むように配置されている。また、２つの電極３は、ユーザＵの人体が電極１に至る手前にあるときの当該人体の近傍に配置されている。
【００４３】
具体的には、電極１は、２つのゲート側壁の間の床に設置されている。電極１は、リード線を介して、制御装置２に接続されている。各電極３は、進行方向に向いて、電極１の手前に配置されている。一方の電極３は進行方向に向いて左のゲート側壁に、他方の電極３は右のゲート側壁に配置されている。送信抑制装置４は、各電極３に対して送信抑制信号Ｓを継続的に印加している。つまり、送信抑制システムは送信抑制方法を実行している。送信抑制信号Ｓは、ユーザＵが電極３の間を通過するときに携帯端末１０に送信される。
【００４４】
次に、制御システムの動作を説明する。
【００４５】
ユーザＵは電極３の間を通過する。送信抑制装置４は、電極３に対して送信抑制信号Ｓを継続的に印加しているので、送信抑制信号Ｓは、電極３とユーザＵの人体の間の空間、ユーザＵの人体に電界を誘起させ、携帯端末１０に伝達される。携帯端末１０は、送信抑制信号Ｓを受信しているときは、ユーザＵの識別情報など、いかなる情報も送信できない。
【００４６】
よって、ユーザＵが電極３の間を通過し、ユーザＵの前を進むユーザ（図示せず）が電極１の上を通過しているときに、ユーザＵの携帯端末１０から送信されたユーザＵの識別情報を含む信号の空間への放射が生じ、前を進むユーザの人体に信号が結合し、電極１を介して制御装置２に信号が伝達されれば、ユーザＵへの課金を行える状況にあるが、携帯端末１０は情報を送信できないので、このような本来課金すべきでないときに課金がなされてしまうのを防止することができる。特に、携帯端末１０がユーザＵの胸ポケットなどにあって、携帯端末１０から放射された信号が前を進むユーザ（図示せず）の人体に結合しやすいときは、こうした意図しない課金の可能性が高まるが、携帯端末１０は情報を送信できないので、課金はなされない。
【００４７】
次に、ユーザＵが電極３の間を通過し、電極１の上を通過するとき、携帯端末１０は情報を送信できるようになり、携帯端末１０から送信されたユーザＵの識別情報を含む信号が、ユーザＵの人体に電界を誘起させ、電極１を介して制御装置２に伝達される。制御装置２は、識別情報に対応する銀行口座などから一定の金額を引き落とすための処理など、つまりユーザＵへの課金を行う。
【００４８】
よって、ユーザＵに対して課金が複数回なされるのを防止することができる。つまり、電界伝達媒体に電界を誘起させて制御を行え且つ空間での放射による悪影響を防止することができる。
【００４９】
［第３の実施の形態］
図７は、第３の実施の形態に係る制御システムの構成を示す図である。図７（ａ）は、制御システムの横からの様子を模式的に示し、図７（ｂ）は、制御システムの上からの様子を模式的に示す。
【００５０】
制御システムは、予め定められた位置に配置された電極１と、電界伝達媒体であるユーザＵの人体とともに移動して使用される携帯端末１０から送信され当該ユーザＵの人体（生体）に電界を誘起させ電極１を介して伝達される信号により制御対象物であるユーザＵの銀行口座などから一定の金額を引き落とすという制御を行う制御装置２と、電極１の近傍に配置される２つの電極３と、携帯端末１０から信号が送信されるのを抑制する送信抑制信号Ｓを各電極３にそれぞれ印加する２つの送信抑制装置４とを備える。すなわち、制御システムは、各電極３と各送信抑制装置４とを備える送信抑制システムを含んでいる。
【００５１】
各電極１，３は、例えば、第２の実施の形態と同じように、遊園地に入るときに通過するゲートに設けられている。つまり、各電極１，３は、ユーザＵの動線に沿って配置されている。また、一方の電極３は、ユーザＵの人体が電極１に至る手前にあるときの当該人体の近傍に配置されている。他方の電極３は、ユーザＵの人体が電極１を通り越したときにおける当該人体の近傍に配置されている。
【００５２】
具体的には、電極１は、２つのゲート側壁の間の床に設置されている。電極１は、リード線を介して、制御装置２に接続されている。一方の電極３は、進行方向に向いて、電極１の手前の床に配置されている。他方の電極３は、電極１に対して、進行方向側（奥側）の床に配置されている。他方の電極３は、リード線を介して、他方の送信抑制装置４に接続されている。一方の送信抑制装置４は、一方の電極３に対して送信抑制信号Ｓを継続的に印加している。また、他方の送信抑制装置４は、他方の電極３に対して送信抑制信号Ｓを継続的に印加している。つまり、送信抑制システムは送信抑制方法を実行している。
【００５３】
一方の送信抑制装置４から送信される送信抑制信号Ｓは、ユーザＵが一方の電極３の上を通過するときに携帯端末１０に送信される。他方の送信抑制装置４から送信される送信抑制信号Ｓは、ユーザＵが他方の電極３の上を通過するときに携帯端末１０に送信される。  次に、制御システムの動作を説明する。
【００５４】
第２の実施の形態と同様に、ユーザＵが手前の電極３の上を通過しているときは、携帯端末１０に送信抑制信号Ｓが送信され、携帯端末１０は情報を送信できないので、課金を防止することができる。
【００５５】
第２の実施の形態と同様に、ユーザＵが電極１の上を通過するとき、携帯端末１０は情報を送信できるようになり、ユーザＵへの課金が行われる。
【００５６】
第２の実施の形態と同様に、ユーザＵが奥側の電極３の上を通過しているときは、携帯端末１０に送信抑制信号Ｓが送信され、携帯端末１０は情報を送信できないので、課金を防止することができる。特に、携帯端末１０がユーザＵのズボンの後ろポケットなどにあって、携帯端末１０から放射された信号が後ろを進むユーザ（図示せず）の人体に結合しやすいときは、こうした意図しない課金の可能性が高まるが、携帯端末１０は情報を送信できないので、課金はなされない。
【００５７】
よって、ユーザＵに対して課金が複数回なされるのを防止することができる。つまり、電界伝達媒体に電界を誘起させて制御を行え且つ空間での放射による悪影響を防止することができる。
【００５８】
なお、上記の説明では、「扉の解錠」と「課金」を制御の例としたが、他の制御（例えば、券売機の動作制御など）について、本発明を実施してもよい。
【００５９】
また、上記の説明では、「人体」を電界伝達媒体の例としたが、動物などの生体や生体以外の物質などを電界伝達媒体とし、本発明を実施してもよい。
【符号の説明】
【００６０】
１、３  電極
２  制御装置
４  送信抑制装置
Ｓ  送信抑制信号
Ｕ  ユーザ
【図１】
2011004041.tif 000003
【図２】
2011004041.tif 000004
【図３】
2011004041.tif 000005
【図４】
2011004041.tif 000006
【図５】
2011004041.tif 000007
【図６】
2011004041.tif 000008
【図７】
2011004041.tif 000009
【図８】
2011004041.tif 000010